(57)【要約】歯ブラシ本体（１０）によって支持された歯ブラシヘッド（１２）を有する歯ブラシが記載される。歯ブラシヘッド（１２）は剛毛担体（２０）を有する。剛毛担体（２０）は、剛毛を収容し、枢動軸（Ｒ）を中心に枢動するように枢支され、偏心駆動機構（４０、５０、５２）によって反転駆動可能である。偏心駆動機構（４０、５０、５２）は、１方向に回転する駆動軸（５０）を有する。駆動軸（５０）は、剛毛担体（２０）の枢動軸（Ｒ）と垂直に延び、歯ブラシ本体（１０）の中心を貫通する。駆動軸（５０）の端面は、偏心ピン（５２）を有する。剛毛担体（２０）も軸方向に延びる案内穴または案内溝（３２）を有し、偏心ピン（５２）はこの案内穴または案内溝で案内される。剛毛担体は、軸方向に変位するように歯ブラシヘッド（１２）上にも支持され、偏心駆動機構（４０、５０、５２）によって前後に反転駆動可能である。【選択図】        図１
2004500157.tif 000002
【特許請求の範囲】
【請求項１】
歯ブラシ本体（１０、２１０、３１０、４１０、５１０、６１０）によって支持された歯ブラシヘッド（１２、２１２、３１２、４１２、５１２、６１２）を有する歯ブラシであって、前記歯ブラシヘッド（１２、２１２、３１２、４１２、５１２、６１２）が、
剛毛を収容する剛毛担体（２０、２２０、３２０、４２０、５２０、６２０）を有し、前記剛毛担体（２０、２２０、３２０、４２０、５２０、６２０）は、枢動軸（Ｒ）を中心に枢動するように枢支され、偏心駆動機構（４０、５０、５２）によって枢動反転可能に駆動されるように構成され、
前記偏心駆動機構は、１方向に回転し前記剛毛担体（２０、２２０、３２０、４２０、５２０、６２０）の枢動軸（Ｒ）と垂直に配置され、かつ、前記歯ブラシ本体（１０、２１０、３１０、４１０、５１０、６１０）の中心を貫通する駆動軸（５０）を有し、前記駆動軸（５０）の一端面が偏心ピン（５２）を有し、
前記剛毛担体（２０、２２０、３２０、４２０、５２０、６２０）は、軸方向に延びる案内穴または案内溝（３２、１２８、２２８、３２８、４２８、５２８、６２８）を有し、前記偏心ピン（５２）が前記案内穴または案内溝内で案内される、歯ブラシにおいて、
前記剛毛担体（２０、２２０、３２０、４２０、５２０、６２０）は、軸方向に移動するように前記歯ブラシヘッド（１２、２１２、３１２、４１２、５１２）上に支持され、かつ、前記偏心駆動機構（４０、５０、５２）によって反転可能に駆動されて直線経路に沿って前後に移動するように構成されること、
を特徴とする歯ブラシ。
【請求項２】
前記歯ブラシヘッド（１２、２１２）は、剛毛担体（２０、２２０）の前後への直線運動（ストローク）を制限する少なくとも１つの対応する支承突起（２４、２２４）と係合するように構成された少なくとも１つの支承溝（１４、２１４）を有すること、
を特徴とする、請求項１に記載の歯ブラシ。
【請求項３】
偏心ピン（５２）と係合するように構成された駆動ピン穴（３２、２３２）または案内溝を有する滑り子（３０、２３０）が設けられることと、
前記滑り子（３０、２３０）は、前記案内溝（２８、２２８）内で軸方向に貼付されるか、または、前記案内溝（２８、２２８）内の制限留め具間で軸方向に移動可能であるかであることと、
を特徴とする、請求項１または２に記載の歯ブラシ。
【請求項４】
前記剛毛担体（３２０、４２０、５２０）は、前記剛毛担体（３２０、４２０、５２０）の周辺部分に沿って設置され軸方向に傾斜した、駆動ピン溝（３２４、４２４、５２４）を少なくとも１つ有することと、
前記駆動ピン溝（３２４、４２４、５２４）によって案内される少なくとも１つの駆動ピン（３１４、４１４、５１４）が前記歯ブラシヘッド（３１２、４１２、５１２）上に設置されることと、
を特徴とする、請求項１に記載の歯ブラシ。
【請求項５】
直径方向に対向する２つの案内ピン（３１４）が歯ブラシヘッド（３１０）上に配置されること、
を特徴とする、請求項４に記載の歯ブラシ。
【請求項６】
前記案内溝（６２８）が前記剛毛担体（６２０）に直接形成されていること、
を特徴とする、請求項４または５に記載の歯ブラシ。
【請求項７】
前記案内溝は、前記剛毛担体に軸方向に貼付された滑り子の一部であること、
を特徴とする、請求項４または５に記載の歯ブラシ。
【請求項８】
滑り子（４３０、５３０）が前記案内溝（３２８、４２８、５２８）において軸方向へ変位するように支持されることと、
前記滑り子（３３０、４３０、５３０）は、前記偏心ピン（５２）に係合するように構成された駆動ピン穴（３３２、４３２、５３２）を有することと、
を特徴とする、請求項４または５に記載の歯ブラシ。
【請求項９】
前記滑り子（１３０、２３０、３３０、４３０）は円筒形であること
を特徴とする、請求項３または７または８に記載の歯ブラシ。
【請求項１０】
前記滑り子（５３０）は球形であること
を特徴とする、請求項３または７または８に記載の歯ブラシ。
【発明の詳細な説明】
【０００１】
【発明の属する技術分野】
本発明は、請求項１の前提部に従う、歯ブラシ本体によって支持された歯ブラシヘッドを有する歯ブラシに関する。
【０００２】
【従来の技術】
異なるデザインを持つ多くのタイプの偏心駆動歯ブラシが市販されている。
【０００３】
こうした歯ブラシは、典型的には、歯ブラシ本体によって支持され、電気手工具に互換可能に装着される歯ブラシヘッドを有する。歯ブラシヘッドは、剛毛を収容し、枢動軸を中心に枢動するように枢支された剛毛担体を有する。歯ブラシヘッドは、偏心駆動機構によって反転可能に枢動駆動でき、特定の枢動角、例えば、１３０度をなす２つの枢動方向に交互に枢動する。
【０００４】
【発明が解決しようとする課題】
広く用いられている市販の歯ブラシでは、駆動モータの後に配置された偏心ギヤによって偏心運動が生じる。偏心ギヤは、反転するストローク運動を生じ、それが駆動ピンに伝達される。駆動ピンは歯ブラシ本体を貫通する。剛毛担体の枢動軸に対して軸方向に延びる駆動ピンの曲がった端部が剛毛担体上に配置された対応する穴に係合する。駆動ピン穴は、ここでは、枢動軸から半径方向にずらされる。このようにして、リフトロッドの反転するストローク動作が剛毛体の反転する枢動運動に変換される。このような歯ブラシの偏心駆動機構は、例えば、米国特許ＵＳＰ５，６１７，６０１やＵＳＰ５，５２４，３１２に記載されている。
【０００５】
歯ブラシの偏心駆動機構の変形例がＷＯ ９６／３７ １６４に記載されている。この変形例においては、駆動モータの回転円運動が直接駆動軸に伝達される。駆動軸は歯ブラシ本体を貫通し、曲がった一端を有する。この曲がった端部は、剛毛担体上に配置された対応する案内溝に係合し、それによって剛毛担体内に反転する枢動運動を引き起こす。この構成は、機械的に非常に簡単で耐摩耗性の駆動機構を実現する。この種の駆動機構も殆どスペースを必要としないので、ハウジングはスリムで小さな形状を持つことができる。
【０００６】
この種の反転可能に駆動される歯ブラシは信頼性高く動作するが、幾つかの不都合を有する。特に、このような歯ブラシの歯磨き能力は、未だ改良する余地がある。
【０００７】
回転運動に追加的な運動を付与することによって歯磨き能力を改良することも知られている。例えば、ＷＯ ９６／３１１７１やＤＥ ４４ ３３ ９１４ Ａ１には、偏心駆動機構を有するこの種の歯ブラシが記載されており、剛毛担体がある種の枢動運動を行う。
【０００８】
しかし、このような歯ブラシでも歯を最適に磨くことができないことが実証されている。また、歯ブラシが機械的に複雑でもある。
【０００９】
【発明が解決しようとする課題】
したがって、本発明は、簡単な構成とともに改良された歯磨き能力を有するように上述形式の歯ブラシを改良するという問題を課題とする。
【００１０】
【課題を解決するための手段】
この記載された問題は、請求項１を特徴付ける特徴を有する上述形式の歯ブラシを用いて解決される。
【００１１】
本発明の有利な実施例は、従属の請求項を特徴付ける特徴において記載される。
【００１２】
本発明は、軸方向に変位するように剛毛担体を歯ブラシヘッド上で支持し、偏心駆動機構を用いて直線経路に沿って前後に反転可能に剛毛担体を駆動するという考えに基づく。これによって、剛毛担体に軸方向への変位振動運動を与えるので、優れた歯磨き能力を生じる。
【００１３】
第１実施例によれば、歯ブラシヘッドは、少なくとも１つの対応する支承突起と係合するように構成された少なくとも１つの支承溝を有する。本実施例は、剛毛担体の前後運動（ストローク）の直線走行経路を制限する制限留め具を用いる。
【００１４】
第２実施例によれば、軸方向の直線走行を剛毛担体に直接与えることができる。このため、剛毛担体の案内溝には軸方向に滑り子を貼付しても良いし、あるいは、滑り子を制限留め具間で軸方向に移動可能であっても良い。滑り子も駆動ピン穴あるいは案内溝を有し、偏心ピンが案内溝に係合する。剛毛担体は、軸方向に変位するように歯ブラシヘッド上に支持され、２つの反転点間の軸方向への偏心ピンの対応する運動に積極的に追従する。従って、上述のように、軸方向への変位運動が回転運動に付与される。
【００１５】
追加的な実施例によれば、この付与された軸方向への変位運動は、剛毛担体の周辺部分に沿って配置され軸方向に傾斜した駆動ピン溝を剛毛担体に少なくとも１つ設けることによっても実現可能である。歯ブラシヘッドは、この駆動ピン溝に係合するように構成された対応する駆動ピンを有する。これによって、駆動ピン溝が軸方向部品を有するので、回転運動を剛毛体に積極的に伝達して軸方向への変位運動を生じる。この構成によって、剛毛担体の外周に近接して追加的な単純な機械的連結案内が提供される。１つの駆動ピンとそれに対応する１つの駆動ピン溝とを設けることで十分である。なお、この駆動ピンと駆動ピン溝の構成は互換可能である。
【００１６】
また、直径方向に対向する２つの駆動ピンを歯ブラシヘッド上に配列することもできる。この構成は、２つの連結案内が軸方向の力を生じるので、駆動ピンや溝に掛かる応力を減少させる。
【００１７】
第５実施例によれば、案内溝を剛毛担体に直接形成可能である。偏心ピンは直接案内溝と係合して、前後の反転点間で前後に移動する。それによって、軸方向に延びる案内溝の側面経由で力を伝達して、剛毛担体を反転可能に駆動することができる。
【００１８】
本実施例は、可動部分の数が少ないので非常に静かに動作し、特に高周波用途、即ち、「超音波」歯ブラシとして一般に言及される所謂高速走行歯ブラシに適する。こうした歯ブラシの偏心軸は、１分間に１５０００から２５０００回転の回転速度で回転する。こうした高回転速度では、部品は、歯ブラシ本体の回転方向の持続的な反転によって増幅される特に高い応力を受けることになる。それ故、歯ブラシを可能な限り最も単純な方法で構成することが肝要であるが、上述の手段によって殆ど実現される。
【００１９】
提案された構成は、剛毛担体に対して振動性の枢動運動に加えて軸方向への変位運動を与えるために追加的な構成手段を必要としない。この組み合わせは、上述の優れた歯磨き能力を生じる。このため、軸方向への案内溝の長さは、偏心ピンの前後の反転点間の走行経路よりも小さい。
【００２０】
偏心ピンの走行は、案内溝の軸方向における有限な長さによって制限される。剛毛担体は、軸方向に変位するように歯ブラシヘッド上で支持され、２つの反転点間において軸方向への偏心ピンの対応する運動を積極的に実施する。これによって、軸方向へ変位運動を回転運動に付与する。
【００２１】
第６実施例によれば、滑り子が剛毛担体上の軸方向に貼付される。滑り子は、前後の反転点間を軸方向に前後に移動可能な偏心ピンに係合するように構成された案内溝を有する。
【００２２】
第７実施例によれば、滑り子が軸方向へ変位するように案内溝内に支持される。滑り子は、偏心ピンと係合するように構成された駆動ピン穴を有する。こうして偏心ピンは、剛毛担体に一体化された案内溝内部で前後の反転点間で滑り子を前後に案内する。
【００２３】
滑り子を設ける全ての実施例に共通なことについては、滑り子と、剛毛担体上にそれぞれ配置された対応する凹部または案内溝とが、剛毛体の枢動運動と逆向きの滑り子の回転または枢動運動を可能にするように形成されるので、凹部または案内溝と係合する偏心ピンが曲げ応力を受けないということである。
【００２４】
滑り子は、典型的には、円筒形であり、そのため凹部および案内溝それぞれにおいて信頼性の高い支持を提供する。好適な一実施例によれば、滑り子は球形であっても良い。この実施例は、都合良いことに、滑り子と凹部あるいは案内溝、それぞれの間で生じる摩擦力を最小化する。
【００２５】
【発明の実施の形態】
本発明は、図面に示された実施例を参照して更に詳細に説明される。
歯ブラシ１の第１実施例は図１に示される。
【００２６】
歯ブラシヘッド１２は、取手部６０に対して互換可能に接続できる歯ブラシ本体１０の一部品を形成する。剛毛担体２０の対応する支承穴２６に係合する支承ジャーナル１６が歯ブラシヘッド１２上に配置される。支承ジャーナル１６は、それ故、剛毛担体２０のための回転・枢動軸受けを意味する。
【００２７】
歯ブラシヘッド１２は、また、剛毛担体２０の対応する支承突起２４に係合するように構成された円周方向の支承溝１４を有する。その結果、剛毛担体２０の歯ブラシヘッド１２に対する軸方向の走行経路が制限され、剛毛担体２０が脱落するのを防止する。剛毛担体２０は、軸方向に延びる凹部２８を有する。案内溝３２を有する滑り子３０が凹部２８に挿入される。滑り子３０の軸方向位置は、凹部２８と剛毛担体２０それぞれに対して規定される。
【００２８】
駆動軸５０の偏心ピン５２は案内溝３２に係合する。案内溝３２は、図示例では、穿孔の形である。しかし、案内溝３２も軸方向に延伸可能である。駆動軸５０はモータ４０によって回転可能に駆動される。
【００２９】
したがって、剛毛担体２０は次のように移動する。
特に図１の拡大図Ｘからより詳細に分かるように、この例示的な横断面図における偏心ピン５２は左反転点に位置している。回転が始まると、偏心ピン５２の位置は右反転点に達するまで右に移動する。
【００３０】
こうして歯ブラシヘッド２０は、部分図の右上隅に示された、即ち、実線で示された左端位置から始まって点線によって示された右端位置に至る枢動運動を行う。枢動運動が続くと、偏心ピン５２はその所期位置に戻り、歯ブラシ本体２０が反対方向への枢動運動を行う。
【００３１】
偏心ピン５２が相対的に小さな間隙を有して横方向に案内されさえすれば、この運動は信頼性高く実行できるので、枢動運動は実質上遊びをもたず変換可能となる。また、滑り子３０は、係合する偏心ピン５２に曲げ応力が掛からないようにするために、剛毛担体２０の回転とは反対方向に長軸の周りを枢動して剛毛担体２０の運動を補償できるように、凹部２８内に支持されなければならない。滑り子３０と凹部２８は、顕著な摩擦無く本質的に遊びの無い補償運動を可能にする対応した円形横断面を有する。偏心ピン５２の長さは、滑り子３０の実際の位置とは無関係に滑り子３０に常に係合するように選択されることにも言及しておく。
【００３２】
簡単な機械的構成を用いて、駆動軸５０の持続的な回転運動を反転する回転運動（枢動運動）に変換できる。
図２は図１による歯ブラシの拡大図である。次の詳細な特徴が図２で理解可能となる。
【００３３】
歯ブラシ本体２１０の上端には、支承ジャーナル２１６を有する歯ブラシヘッド２１２がある。支承ジャーナル２１６は支承穴２２６上に剛毛担体２２０を収容する。
【００３４】
剛毛担体２２０は歯ブラシヘッド２１２に対して軸方向に変位するように支持される。外周の支承突起２２４は歯ブラシヘッド２１２上の支承溝２２４に係合する。支承溝２１４は、剛毛担体２２０が図２の左側に示す軸方向前方位置と図２の右側に示す軸方向後方位置の間を走行できるように構成される。最大走行経路を「ストローク」と呼ぶ。
【００３５】
剛毛担体２２０は、滑り子２３０が挿入される軸方向案内溝２２８を有する。滑り子２３０は剛毛担体２２０に対して軸方向に固定される。また、滑り子２３０は、駆動軸５０の偏心ピン５２に係合するように構成された駆動ピン穴２３２を有する。
【００３６】
偏心ピン５２が滑り子２３０経由で軸方向に剛毛担体２２０と積極的に結合されるので、剛毛担体２２０は回転運動に付与される軸方向への直線運動を行う。この軸方向への高周波脈動運動が歯磨き結果を著しく改善する。それ故、この知見は、上述実施例を参照して論じたように、簡単な機械的手段によって実現可能となる。
【００３７】
図３は、剛毛担体３２０の軸方向への直線運動も積極的な結合によって実現される歯ブラシ３００を示す。
【００３８】
ここでも、歯ブラシヘッド３１２と支承ジャーナル３１６を有する歯ブラシ本体３１０が設けられている。支承ジャーナル３１６は、支承穴３２６内で軸方向に変位するように剛毛担体３２０を収容する。
【００３９】
剛毛担体３２０は、軸方向に移動可能な滑り子３３０が挿入される軸方向案内溝３２８を有する。滑り子３３０は、駆動軸５０の偏心ピン５２に係合するように構成された駆動ピン穴３３２を有する。
【００４０】
また、直径方向に対向し半径方向内側に面した２つの駆動ピン３１４が歯ブラシヘッド３１２上に挿入される。駆動ピン３１４は、剛毛担体３２０の周辺部分に沿って配置された２つの対応する駆動溝３２４に係合する。駆動ピン３１４が僅かに軸方向に傾斜しているので、剛毛担体３２０の回転運動は、積極的に結合される軸方向への変位運動を生じる。
【００４１】
図４に示された歯ブラシ４００は、上述の実施例と本質的には同様に実施される。
ここでも、歯ブラシ本体４１０は支承ジャーナル４１６を有する歯ブラシヘッド４１２を有する。剛毛担体４２０は、支承穴４２６によって支承ジャーナル４１６上に長手方向へ変位するように支持される。
【００４２】
剛毛担体４２０は、滑り子４３０が軸方向へ変位するように支持される軸方向案内溝４２８を有する。滑り子４３０は、駆動軸５０の偏心ピン５２に係合するように構成された駆動ピン穴４３２を有する。
【００４３】
ここまで、本実施例は、１つの駆動ピン４１４だけが駆動溝４２４と協働するように設けられているということを除いて、図３に基づいて説明された実施例と同一である。軸方向に僅かに傾斜した駆動溝４２４を有することによって軸方向への直線運動が生じており、それによって剛毛担体４２０の軸方向ストロークが決定される。
【００４４】
図５に示す歯ブラシ５００の実施例とこれまでに説明してきた実施例との唯一の相違は、滑り子５３０が球形であることである。滑り子５３は、駆動軸５０の偏心ピン５２に係合するように構成された駆動ピン穴５３２を有する。
【００４５】
滑り子は、剛毛担体５２０の軸方向案内溝５２８内で軸方向に変位するように案内される。剛毛担体５２０は、長手方向に変位するように支承ジャーナル５１６上で剛毛担体５２０を案内する支承穴５２６を有する。支承ジャーナル５１６は、歯ブラシ本体５１０の歯ブラシヘッド５１２に取り付けられる。
【００４６】
駆動ピン５１４が歯ブラシヘッド５１２に配置される。駆動ピン５１４は、剛毛担体５２０の枢動運動が剛毛担体５２０の積極的に結合した軸方向ストロークを生じるように、対応する駆動溝５２４と協働する。
【００４７】
図６に示す歯ブラシ６００の実施例は、本質的には図４及び５で示した実施例と同一である。
【００４８】
ここでも、歯ブラシヘッド６１２を有する歯ブラシ本体６１０が図示されており、歯ブラシヘッド６１２は支承ジャーナル６１６を有する。剛毛担体６２０は、支承穴６２６経由で支承ジャーナル６１６上に長手方向へ変位するように支持される。
【００４９】
図４及び５で詳細に示されたように、駆動ピン６１４は、軸方向に僅かに傾斜した駆動溝６２４と協働する。これによって、剛毛担体６２０の軸方向ストロークを生じる。
【００５０】
ここまで、図示された歯ブラシの実施例の基本構成は図４及び５の実施例に基づいて説明されたものと同一である。ただし、図６に示された歯ブラシ６００の実施例では案内溝６２８が剛毛担体６２０に直接形成されているという点のみが異なる。
【００５１】
モータによって順次駆動される駆動軸５０によって回転を設定可能な偏心ピン５２は、案内溝６２８に直接係合する。駆動軸５０上で動作するモータ駆動機構は、偏心ピン５２が前後の反転点間で案内溝６２８内を前後に自由に移動できるようにする。偏心ピン５２は、軸方向に延びる案内溝６２８の側面経由で力を剛毛担体６２０に伝達する。案内溝６２８に係合する偏心ピン５２の曲げ応力を除去するため、案内溝６２８は、半径方向内側に延びるキャビティ６３４を有する。キャビティ６３４は、偏心ピン５２の自由端を収容するとともに、自由端とキャビティ６３４の内壁の間に空間を形成する。
【図面の簡単な説明】
【図１】
第１実施例による駆動機構の横断面図である。
【図２】
図１による駆動機構の拡大横断面図（詳細）である。
【図３】
第２実施例による駆動機構の拡大横断面図である。
【図４】
第３実施例による駆動機構の拡大横断面図である。
【図５】
、第４実施例による駆動機構の拡大横断面図である。
【図６】
第５実施例による駆動機構の拡大横断面図である。
【符号の説明】
１  歯ブラシ
１０  歯ブラシ本体
１２  歯ブラシヘッド
１４  支承溝
１６  支承ジャーナル
２０  剛毛担体
２４  支承突起
２６  支承穴
２８  凹部
３０  滑り子
３２  案内溝
４０  モータ
５０  駆動軸
５２  偏心ピン
６０  取手
２００  歯ブラシ
２１０  歯ブラシ本体
２１２  歯ブラシヘッド
２１４  支承溝
２１６  支承ジャーナル
２２０  剛毛担体
２２４  支承突起
２２６  支承穴
２２８  案内溝
２３０  滑り子
２３２  駆動ピン穴
３００  歯ブラシ
３１０  歯ブラシ本体
３１２  歯ブラシヘッド
３１４  駆動ピン
３１６  支承ジャーナル
３２０  剛毛担体
３２４  駆動ピン溝
３２６  支承穴
３２８  案内溝
３３０  滑り子
３３２  駆動ピン穴
４００  歯ブラシ
４１０  歯ブラシ本体
４１２  歯ブラシヘッド
４１４  駆動ピン
４１６  支承ジャーナル
４２０  剛毛担体
４２４  駆動ピン溝
４２６  支承穴
４２８  案内溝
４３０  滑り子
４３２  駆動ピン穴
５００  歯ブラシ
５１０  歯ブラシ本体
５１２  歯ブラシヘッド
５１４  駆動ピン
５１６  支承ジャーナル
５２０  剛毛担体
５２４  駆動ピン溝
５２６  支承穴
５２８  案内溝
５３０  滑り子
５３２  駆動ピン穴
６００  歯ブラシ
６１０  歯ブラシ本体
６１２  歯ブラシヘッド
６１４  駆動ピン
６１６  支承ジャーナル
６２０  剛毛担体
６２４  駆動ピン溝
６２６  支承穴
６２８  案内溝
６３４  キャビティ
【国際公開パンフレット】
2004500157.tif 000003
2004500157.tif 000004
2004500157.tif 000005
2004500157.tif 000006
2004500157.tif 000007
2004500157.tif 000008
2004500157.tif 000009
2004500157.tif 000010
2004500157.tif 000011
2004500157.tif 000012
2004500157.tif 000013
2004500157.tif 000014
2004500157.tif 000015
2004500157.tif 000016
2004500157.tif 000017
2004500157.tif 000018
2004500157.tif 000019
2004500157.tif 000020
2004500157.tif 000021
2004500157.tif 000022
2004500157.tif 000023
2004500157.tif 000024
2004500157.tif 000025
2004500157.tif 000026
2004500157.tif 000027
2004500157.tif 000028
【手続補正書】
【提出日】平成13年10月4日(2001.10.4)
【手続補正１】
【補正対象書類名】明細書
【補正対象項目名】特許請求の範囲
【補正方法】変更
【補正の内容】
【特許請求の範囲】
【請求項１】
歯ブラシ本体（３１０、４１０、５１０、６１０）によって支持された歯ブラシヘッド（３１２、４１２、５１２、６１２）を有する歯ブラシであって、前記歯ブラシヘッド（３１２、４１２、５１２、６１２）が、
剛毛を担持する剛毛担体（３２０、４２０、５２０、６２０）を有し、前記剛毛担体（２０、２２０、３２０、４２０、５２０、６２０）は、回転軸を中心に回転するように回転可能に支持され、偏心駆動機構（５０、５２）によって反転可能に回転可能に駆動されるように構成され、
前記偏心駆動機構は、１方向に回転し前記剛毛担体（３２０、４２０、５２０、６２０）の回転軸（Ｒ）と垂直に配置され、かつ、前記歯ブラシ本体（３１０、４１０、５１０、６１０）の中心を貫通して延びる駆動軸（５０）を有し、前記駆動軸（５０）の一端面が偏心ピン（５２）を有し、
前記剛毛担体（３２０、４２０、５２０、６２０）は、軸方向に延びる案内穴または案内溝（３２８、４２８、５２８、６２８）を有し、前記偏心ピン（５２）が前記案内穴または案内溝内で案内される、歯ブラシにおいて、
前記剛毛担体（３２０、４２０、５２０、６２０）は、軸方向に移動するように前記歯ブラシヘッド（３１２、４１２、５１２、６１２）上に支持され、かつ、前記偏心駆動機構（４０、５０、５２）によって反転可能に駆動されて直線経路に沿って前後に移動するように構成されることと、
前記剛毛担体（３２０、４２０、５２０、６２０）は、前記剛毛担体（３２０、４２０、５２０、６２０）の周辺部分に沿って配置され軸方向に傾斜した、駆動ピン溝（３２４、４２４、５２４、６２４）を少なくとも１つ有することと、
前記駆動ピン溝（３２４、４２４、５２４、６２４）で案内される少なくとも１つの駆動ピン（３１４、４１４、５１４、６１４）が前記歯ブラシヘッド（３１２、４１２、５１２、６１４）上に配置されることと
を特徴とする歯ブラシ。
【請求項２】
直径方向に対向する２つの案内ピン（３１４）が前記歯ブラシヘッド（３１０）上に配置されること、
を特徴とする請求項１に記載の歯ブラシ。
【請求項３】
前記案内溝（６２８）が前記剛毛担体（６２０）上に直接形成されること
を特徴とする請求項１または２に記載の歯ブラシ。
【請求項４】
前記案内溝は、前記剛毛担体に軸方向に貼付された滑り子の一部であること
を特徴とする請求項１または２に記載の歯ブラシ。
【請求項５】
滑り子（３３０、４３０、５３０）が前記案内溝（３２８、４２８、５２８）内で軸方向に変位するように支持されることと、
滑り子（３３０、４３０、５３０）は、偏心ピン（５２）に係合するように構成された駆動ピン穴（３３２、４３２、５３２）を有することと
を特徴とする請求項１または２に記載の歯ブラシ。
【請求項６】
前記滑り子（３３０、４３０）は円筒形であること、
を特徴とする、請求項４または５に記載の歯ブラシ。
【請求項７】
前記滑り子（５３０）は球形であること、
を特徴とする、請求項４または５に記載の歯ブラシ。
【請求項８】
歯ブラシ本体（１０、２１０）によって支持された歯ブラシヘッド（１２、２１２）を有する歯ブラシであって、歯ブラシヘッド（１２、２１２）が、
剛毛を担持する剛毛担体（２０、２２０）を有し、前記剛毛担体（２０、２２０）は、回転軸（Ｒ）を中心に回転するように回転可能に支持され、偏心駆動機構（４０、５０、５２）によって反転可能に回転可能に駆動されるように構成され、
前記偏心駆動機構は、１方向に回転し前記剛毛担体（２０、２２０）の回転軸（Ｒ）と垂直に配置され、かつ、前記歯ブラシ本体（１０、２１０）の中心を貫通して延びる駆動軸（５０）を有し、前記駆動軸（５０）の一端面が偏心ピン（５２）を有し、
前記剛毛担体（２０、２２０）は、軸方向に延びる案内穴または案内溝（２８、２２８）を有し、前記偏心ピン（５２）が前記案内穴または案内溝内で案内される、歯ブラシにおいて、
前記剛毛担体（２０、２２０）は、軸方向に移動するように前記歯ブラシヘッド（１２、２１２）上に支持され、かつ、前記偏心駆動機構（４０、５０、５２）によって反転可能に駆動されて直線経路に沿って前後に移動するように構成されることと、
前記偏心ピン（５２）は、駆動ピン穴（３２、２３２）または案内溝（２８、２２８）に係合して、前記駆動ピン穴（３２，２３２）内に軸方向に固定して取り付けられるか、または、前記案内溝（２８、２２８）内の制限留め具間で軸方向に移動可能であるかであることと、
を特徴とする歯ブラシ。
【請求項９】
前記歯ブラシヘッド（１２、２１２）は、前記剛毛担体（２０、２２０）の前後への直線運動（ストローク）を制限する少なくとも１つの対応する支承突起（２４、２２４）と係合するように構成された少なくとも１つの支承溝（１４、２１４）を有すること
を特徴とする、請求項８に記載の歯ブラシ。
【請求項１０】
偏心ピン（５２）に係合するように構成された駆動ピン穴（３２、２３２）または案内溝を有する滑り子（３０、２３０）が設けられることと、
前記滑り子（３０、２３０）は、案内溝（２８、２２８）内に軸方向に貼付されるか、または、案内溝（２８、２２８）内の制限留め具間で軸方向に移動可能であるかであることと、
を特徴とする請求項８または９に記載の歯ブラシ。
【請求項１１】
前記滑り子（１３０、２３０、３３０、４３０）は円筒形であること、
を特徴とする、請求項１０に記載の歯ブラシ。
【請求項１２】
前記滑り子（５３０）は球形であること、
を特徴とする、請求項１０に記載の歯ブラシ。
【国際調査報告】
2004500157.tif 000029
2004500157.tif 000030
2004500157.tif 000031
2004500157.tif 000032